(57)【特許請求の範囲】
【請求項１】
第１の携帯通信システムからのショートメッセージサービス（ＳＭＳ）情報を、第２の、異なる携帯通信システムにおいて対応するメッセージにマップする方法であって、前記方法は、
前記第１の携帯通信システムによって必要とされるフォーマットを持つＳＭＳ情報を受信することと、
前記ＳＭＳ情報を、前記第２の携帯通信システムによって必要とされるフォーマットにマップすることと、
前記第２の携帯通信システムによる要求に応じて、必要な場合には、ＳＭＳ情報に追加アドレスを追加するか、又は必要な場合には、ＳＭＳ情報から無関係なアドレスを削除することと、
ここにおいて、追加することは、該受信されたＳＭＳ情報中の宛先アドレスフィールドのサイズを判定し、そして、該宛先アドレスフィールドの該サイズに基づいて追加するか、又は追加しないことをさらに備える、
を備える。
【請求項２】
請求項１に記載の方法において、前記第１の携帯通信システムは、ＣＤＭＡシステムである。
【請求項３】
請求項２に記載の方法において、前記第２の携帯通信システムは、ＧＳＭシステムである。
【請求項４】
請求項２に記載の方法において、前記第２の携帯通信システムは、ｉＤＥＮシステムである。
【請求項５】
第１の携帯通信システムからのショートメッセージサービス（ＳＭＳ）情報を、第２の、異なる携帯通信システムにおいて対応するメッセージに変換する装置であって、前記装置は、
前記第１の携帯通信システムによって必要とされるフォーマットを持つＳＭＳ情報を受信するように構成された入力と、
前記入力に接続され、前記ＳＭＳ情報を、前記第２の携帯通信システムによって必要とされるフォーマットにマップするように構成されたプロセッサと、
前記プロセッサに接続され、前記第２の携帯通信システムにより要求とされるフォーマットへ、必要であれば、ＳＭＳ情報に追加のアドレスを追加し、または必要であれば、ＳＭＳ情報から無関係なアドレスを除去するように構成された追加／除去要素と、
ここにおいて、前記追加／除去要素は、該受信されたＳＭＳ情報中の宛先アドレスフィールドのサイズを判定するよう構成され、該宛先アドレスフィールドの該サイズに基づいて追加するか、又は追加しないようにさらに構成される、
を備える。
【請求項６】
請求項５に記載の装置において、前記第１の携帯通信システムは、ＣＤＭＡシステムである。
【請求項７】
請求項６に記載の装置において、前記第２の携帯通信システムは、ＧＳＭシステムである。
【請求項８】
請求項６に記載の装置において、前記第２の携帯通信システムはｉＤＥＮシステムである。
【請求項９】
第１の携帯通信システムからのショートメッセージサービス（ＳＭＳ）情報を、第２の、異なる携帯通信システムにおいて対応するメッセージにマップする装置であって、前記装置は、
前記第１の携帯通信システムによって必要とされるフォーマットを持つＳＭＳ情報を受信する手段と、
前記ＳＭＳ情報を前記第２の携帯通信システムによって必要とされるフォーマットにマップする手段と、
前記第２の携帯通信システムによる要求として、必要であれば、ＳＭＳ情報に追加のアドレスを追加し、または必要であれば、ＳＭＳ情報から無関係なアドレスを除去する手段と、
ここにおいて、前記追加し、または除去する手段は、該受信されたＳＭＳ情報中の宛先アドレスフィールドのサイズを判定する手段をさらに備える、及び、ここにおいて、前記追加し、または除去する手段は、該宛先アドレスフィールドの該サイズに基づいて追加するか、又は追加しないよう構成される、
を備える。
【請求項１０】
請求項９に記載の装置において、前記第１の携帯通信システムはＣＤＭＡシステムである。
【請求項１１】
請求項１０に記載の装置において、前記第２の携帯通信システムはＧＳＭシステムである。
【請求項１２】
請求項１０に記載の装置において、前記第２の携帯通信システムはｉＤＥＮシステムである。
【請求項１３】
第１の携帯通信システムからのショートメッセージサービス（ＳＭＳ）情報を、第２の、異なる携帯通信システムにおいて対応するメッセージにマップする方法において、ＳＭＳメッセージをどのように処理すべきかを判定する方法であって、前記方法は、
ＳＭＳメッセージを受信することと、
従来の宛先アドレスフィールドのサイズを判定することと、
パラメータ長さのサイズを判定することと、
前記従来の宛先アドレスフィールドのサイズを、前記パラメータ長さと比較することと、
該宛先アドレスの該サイズが該パラメータ長さの該サイズより小さい場合、第１の携帯通信システムによって必要とされる第１のフォーマットに従って、該ＳＭＳメッセージを処理することと、
該宛先アドレスの該サイズが該パラメータ長さの該サイズより小さくない場合、第２の携帯通信システムによって必要とされる第２のフォーマットに従って、該ＳＭＳメッセージを処理することと、
を備える。
【請求項１４】
請求項１３に記載の方法において、更に、ＳＭＳアドレスフィールドが、前記宛先アドレスフィールドに追加されたことを判定することを備える。
【請求項１５】
第１の携帯通信システムからのショートメッセージサービス（ＳＭＳ）情報を、第２の、異なる携帯通信システムにおいて対応するメッセージにマップする装置において、ＳＭＳメッセージをどのように処理すべきかを判定する装置であって、前記装置は、
従来の宛先アドレスフィールドのサイズを判定する手段と、
パラメータ長さのサイズを判定する手段と、
前記従来の宛先アドレスフィールドのサイズを、前記パラメータ長さと比較する手段と、
該宛先アドレスの該サイズが該パラメータ長さの該サイズより小さい場合、第１の携帯通信システムによって必要とされる第１のフォーマットに従って、該ＳＭＳメッセージを処理する手段と、
該宛先アドレスの該サイズが該パラメータ長さの該サイズより小さくない場合、第２の携帯通信システムによって必要とされる第２のフォーマットに従って、該ＳＭＳメッセージを処理する手段と、
を備える。
【請求項１６】
請求項１５に記載の装置において、更に、ＳＭＳＣアドレスフィールドが、前記宛先アドレスフィールドに追加されたことを判定する手段を備える。
【請求項１７】
請求項１６に記載の装置において、前記第１の携帯通信システムによって必要とされる第１のフォーマットに従って、前記ＳＭＳメッセージを処理するための手段は、更に、第１のフォーマットを持つ新しいＳＭＳメッセージに前記ＳＭＳメッセージをマップするための手段、および前記新しいＳＭＳメッセージにＳＭＳＣアドレスフィールドを追加するための手段、を備える。
【請求項１８】
請求項１３に記載の装置において、前記第１の携帯通信システムにより必要とされる第１のフォーマットに従って前記ＳＭＳメッセージを処理することは、更に、前記ＳＭＳメッセージを第１のフォーマットを持つ、新しいＳＭＳメッセージにマップし、そして、前記ＳＭＳＣアドレスフィールドを新しいＳＭＳメッセージに追加することを備える。
【請求項１９】
請求項１に記載の方法において、前記宛先アドレスフィールドのサイズに基づいて追加すること、又は追加しないことは、前記宛先アドレスのサイズが前もって定義した長さより小さい場合に追加することを更に備える。
【請求項２０】
請求項１に記載の方法において、追加することは、前記受信ＳＭＳ情報におけるパラメータ長さのサイズを決定することをさらに備え、そして、前記宛先アドレスフィールドのサイズに基づいて追加するか追加しないことは、前記宛先アドレスのサイズが前記パラメータ長さのサイズより小さい場合に追加することをさらに備える。
【請求項２１】
請求項５に記載の装置において、前記追加／除去要素は、さらに、前記宛先アドレスのサイズが前もって定義した長さより小さい場合に追加するように構成される。
【請求項２２】
請求項５に記載の装置において、前記追加／除去要素は、さらに、前記受信ＳＭＳ情報におけるパラメータ長さのサイズを決定するように構成され、そして、前記追加／除去の要素は、さらに、前記宛先アドレスのサイズが前記パラメータ長さのサイズより小さい場合に追加するように構成される。
【請求項２３】
請求項９に記載の装置において、前記追加するか除去するための手段は、さらに、宛先アドレスのサイズが前もって定義した長さより小さい場合に追加するように構成される。
【請求項２４】
請求項９に記載の装置において、前記追加するか除去するための手段は、さらに、前記受信ＳＭＳ情報におけるパラメータ長さのサイズを決定するように構成され、そして、前記追加するか除去するための手段は、さらに、宛先アドレスのサイズが前記パラメータ長さのサイズより小さい場合に追加するように構成される。
【請求項２５】
ショートメッセージサービス（ＳＭＳ）情報を、第１の携帯通信システムから第２の、異なる携帯通信システムにおいて対応するメッセージにマップするための少なくとも１台のプロセッサであって、前記プロセッサは、
前記第１の携帯通信システムにより必要とされるフォーマットをもつ前記ＳＭＳ情報を受信するように構成された第１のモジュールと、
前記第２の携帯通信システムにより必要とされるフォーマットへ前記ＳＭＳ情報をマップするように構成された第２のモジュールと、
前記第２の携帯通信システムによる要求に応じて、必要な場合には、前記ＳＭＳ情報に追加アドレスを追加するように、または、必要な場合には、前記ＳＭＳ情報から無関係のアドレスを除去するように構成された第３のモジュール、ここにおいて、前記第３のモジュールは、更に、前記受信ＳＭＳ情報における宛先アドレスフィールドのサイズを判定するように、および、前記宛先アドレスフィールドのサイズに基づいて追加するか、又は追加しないように構成されている、を備える。
【発明の詳細な説明】
【技術分野】
【０００１】
本発明は、一般に、無線通信に関し、特に、異なる携帯通信システムにおいてショートメッセージサービスを提供する方法及び装置に関する。
【背景技術】
【０００２】
コード分割多元アクセス（ＣＤＭＡ）変調は、多数のシステムユーザが存在する通信を容易にする幾つかの技術のうちの一つである。時分割多元アクセス（ＴＤＭＡ）、周波数分割多元アクセス（ＦＤＭＡ）、グローバル・システム・フォー・モバイル・コミュニケーションズ（ＧＳＭ）、あるいは振幅圧伸単一側波帯（ＡＣＳＳＢ：amplitude companded single sideband）といった振幅変調スキームのような他の技術もまた利用可能であるが、ＣＤＭＡは、これら他の変調技術に対して、優位な利点を持っている。多元アクセス通信システムにおけるＣＤＭＡ技術の使用は、本出願の譲受人に譲渡され、ここで本願に引用して援用されている「Spread Spectrum Multiple Access Communication System Using Satellite Or Terrestrial Repeaters」と題された米国特許４，９０１，３０７号（特許文献１）において開示されている。
【０００３】
米国特許４，９０１，３０７号（特許文献１）では、各々トランシーバを持った多数の移動電話システムユーザが、コード分割多元アクセス（ＣＤＭＡ）拡散スペクトル通信信号を使い、衛星リピータ又は地上基地局（セル基地局、又はセルサイトとしても知られている）を介して通信する多元アクセス技術が開示されている。ＣＤＭＡ通信を用いる場合、周波数スペクトルは何度も再利用することができる。これによって、システムユーザ能力の増大を可能にする。ＣＤＭＡ技術を用いることによって、他の多元アクセス技術を用いて達成できるよりも、より高いスペクトル効率を得ることができるという結果になる。
【０００４】
従来の携帯電話システムでは、アナログＦＭ変調技術が使用されているが、利用可能な周波数帯域は、一般に帯域幅３０ＫＨｚのチャネルに分割される。このシステムサービスエリアは、地理的に可変サイズのセルに分割される。利用可能な周波数チャネルは、通常は、おのおの等しいチャネル数を含むセットに分割される。この周波数セットは、チャネル間の干渉の可能性を最小にするように、セルに割り当てられる。例えば、７つの周波数セットが存在し、セルは、等しいサイズの六角形であるシステムを考える。１つのセルで使用される周波数セットは、そのセルの最も近い、あるいは周りの６つの近隣では使用されない。更に、１つのセルにおける周波数セットは、そのセルの次に近い１２の近隣では使用されない。
【０００５】
より難しい状況は、別のセルシステムからの基地局によってサービスされているセルへの、移動局の移動により現れる。このような「システム間の」ハンドオフにおける複雑な要因は、近隣の携帯システムがしばしば異なった特徴を持っていることである。例えば、隣接する携帯システムは、しばしば異なる周波数で動作し、異なるレベルの基地局出力パワー、すなわちパイロット強度を維持する。更に、隣接する携帯システムは、類似したタイプのメッセージに対してでさえ、異なるメッセージ構造を必要とするかもしれない。
【０００６】
例えば、いわゆるＧＳＭ規格は、ソフトハンドオフに対して何のメカニズムも持たない。従って、ＣＤＭＡネットワークからＧＳＭネットワークへ空気インタフェースを用いて呼出をハンドオフする場合、問題が生じる。更に、ＧＳＭ認証はなされない。なぜなら、ＣＤＭＡ２０００メカニズムは、ＧＳＭ認証をするために必要なデータを転送できないからである。ＧＳＭにおける暗号化は、ＣＤＭＡ２０００における暗号化とは異なる。
【０００７】
別の例では、ＣＤＭＡネットワークからＧＳＭネットワークへ空気インタフェースを用いてＳＭＳ及びＳＭＳＣ情報を取り扱うためのメカニズムは現在存在しないという問題がある。すなわち、ＳＭＳメッセージがモバイルから送られた場合、このネットワークは、ＳＭＳメッセージを送るためのＳＭＳＣアドレスを知る必要がある。同様に、標準的なＧＳＭ  ＳＭＳＣ情報は、転送されない。なぜなら、ＣＤＭＡメカニズムは、ＧＳＭ  ＳＭＳＣアドレス情報を取り扱うために必要なデータを転送することができないからである。更に、標準的なＣＤＭＡ  ＳＭＳメッセージフォーマット（ＩＳ−６３７）は、標準的なＧＳＭネットワークによって取り扱われない。なぜなら、ＧＳＭメカニズムは、標準的なＣＤＭＡ  ＳＭＳメッセージを取り扱うために必要なデータを転送することができないからである。
【０００８】
この問題に対処する１つの方法は、例えばＣＤＭＡシステムのような非ＧＳＭシステムに対するハンドオフを達成できるように、ＧＳＭを変更することである。この問題に対処する別の方法は、伝統的なＳＭＳＣメッセージを取り扱えるようにＣＤＭＡを変更することである。しかしながら、ＣＤＭＡ、ＧＳＭともに比較的良く確立されたシステムであり、オペレータ及び機器プロバイダは、近隣の互換性の無いシステムに適合させるために既存の機器に対する高価な変更を行うことに乗り気ではない。もしもデュアルモード移動局をサポートするために、空気インタフェースに新たなメッセージが追加されれば、変更は、既存のハードウェアを用いて新たなメッセージをサポートするためになされねばならない。これは明らかに、オペレータ及び機器プロバイダの観点から、望ましくない形態である。
【特許文献１】米国特許４，９０１，３０７号
【特許文献２】米国特許仮出願６０／３５０，８２９号
【特許文献３】米国特許仮出願６０／３５４，０８６号
【特許文献４】米国特許出願１０，０７６，８３１号
【特許文献５】米国特許仮出願６０／３４０，３５６号
【特許文献６】米国特許出願１０／０７７，５５６号
【発明の開示】
【０００９】
本発明は、上述した問題に対処する。
【００１０】
ＧＳＭネットワークでは、移動局から送られたＳＭＳメッセージは、宛先ＳＭＳサービスセンタにアドレスされる。このサービスセンタは、ＧＳＭ  ＳＩＭカードから、以前に受信されたＳＭＳメッセージから、あるいはユーザからの入力として利用可能である。ＳＭＳＣアドレスは、メッセージを適切なＳＭＳＣにルーティングするためにＧＳＭ  ＭＳＣによって使用される。
【００１１】
しかしながら、ＣＤＭＡネットワークからＧＳＭネットワークへ空気インタフェースを用いてＳＭＳ及びＳＭＳＣメッセージを取り扱うためのメカニズムは現在存在しないという問題がある。ＧＳＭ  ＳＭＳＣメッセージングはなされない。なぜなら、ＣＤＭＡメカニズムは、ＧＳＭ  ＳＭＳＣメッセージングを取り扱うために必要なデータを転送することができないからである。同様に、標準的なＣＤＭＡ  ＳＭＳメッセージフォーマット（ＩＳ−６３７）は、標準的なＧＳＭネットワークによって取り扱われない。なぜなら、ＧＳＭメカニズムは、標準的なＣＤＭＡ  ＳＭＳメッセージを取り扱うために必要なデータを転送することができないからである。
【００１２】
この問題に対する解決策は、ＧＳＭサービスネットワーク１４０が、標準的なＧＳＭフォーマット及び構成でのＳＭＳＣメッセージを受信できるように、ＣＤＭＡ  ＳＭＳメッセージの適切な翻訳とＳＭＳＣのアドレシングとを含むことである。すなわち、オリジナルのＳＭＳメッセージがＣＤＭＡ空気インタフェースを通って到着し、ハイブリッドＭＳＮ１３２によって変更されたということは、ＧＳＭコアネットワーク１２０に明らかになる。同様に、この問題に対する解決策は、更に、標準的なＧＳＭ  ＳＭＳＣメッセージを、ＣＤＭＡ空気インタフェースによって解釈されるようにＳＭＳメッセージに翻訳する。そのようなものとして、ＳＭＳＣ情報が標準的なＣＤＭＡ  ＳＭＳメッセージングに変換されており、ＣＤＭＡベースの移動局へ向けられていることもまた、ＧＳＭコアネットワーク１２０に明らかになる。
【００１３】
この発明のある局面によれば、第１の通信システムからのショートメッセージサービス（ＳＭＳ）情報を、第２の、異なる携帯システムにおける対応するメッセージにマップする方法が提供されている。この方法は、前記第１の通信システムによって必要とされるフォーマットを持つＳＭＳ情報を受信することと、前記ＳＭＳ情報を、前記第２の通信システムによって必要とされるフォーマットにマッピングすることとを備えている。更に、前記第２の通信システムによる要求に応じて、必要な場合には追加情報を追加するか、又は必要な場合には無関係な情報を削除する。ある実施例では、第１の携帯通信システムはＣＤＭＡシステムであり、第２の携帯通信システムはＧＳＭシステムである。
【００１４】
本発明の上述した、及び更なる特徴は、特許請求の範囲における詳細と共に記述されており、その利点と共に、後述するように、添付図面を参照して与えられた本発明の典型的な実施例の詳細記載の検討からより明らかになるであろう。
【発明を実施するための最良の形態】
【００１５】
図１は、典型的な携帯電話システム１００の概要図である。ここに図示されたシステムは、一般に多数のシステム移動局すなわち移動電話と、基地局との間の通信を容易にするための様々な多元アクセス変調技術のうちの何れかを使用しうる。そのような多元アクセス通信システム技術は、時分割多元アクセス（ＴＤＭＡ）、グローバル・システム・フォー・モバイル・コミュニケーションズ（ＧＳＭ）、汎用パケット無線サービス（ＧＰＲＳ：General Packet Radio Service）、高速回線交換データシステム（ｉＤＥＮ：High Speed Circuit Switched Data）、周波数分割多元アクセス（ＦＤＭＡ）、コード分割多元アクセス（ＣＤＭＡ）、ＴＳコード分割多元アクセス（ＴＳＣＤＭＡ）、直交周波数分割多重（ＯＦＤＭ）、及び振幅圧伸単一側波帯のような振幅変調スキームを含む。
【００１６】
説明の目的のために、図１は、通信システムを、ＣＤＭＡベースのシステムと、ＧＳＭベースのシステムとの組み合わせとして示している。例えば上述した通信システムのような、任意の２つの通信システムが適用されうるものと理解されたい。
【００１７】
移動局１０４は、加入者識別モジュール１０６を持つＧＳＭ／ＧＰＲＳデバイスを例示している。移動局１０８は、加入者識別モジュール１１０を持つＧＳＭ／ＣＤＭＡ２００１ｘデバイスを例示している。移動局１０８には、伝統的なＧＳＭ又はＣＤＭＡ移動局からのソフトウェア及び／又はハードウェア変更が備えられており、このデバイスが、ＧＳＭとＣＤＭＡとの両方のインフラストラクチャと相互作用するようにしている。移動局１１２は、加入者識別モジュール１１４を持つＣＤＭＡ２０００ｘデバイスを例示している。
【００１８】
移動局１０４，１０８，１１２は、例えば移動電話、ＰＤＡ、コンピュータ、又は音声又はデータ情報の無線通信が可能なその他の無線デバイスのような無線通信デバイスである。ＳＩＭカード１０６，１１０，１１４は、ＣＤＭＡ  １ｘハンドセットで動作可能であり、ＣＤＭＡ及びＧＳＭ両方の携帯システム内で、基地局からの信号の受信及びそれへの応答が可能な標準的なＧＳＭ  ＳＩＭカードでありうる。ＣＤＭＡ  １ｘハンドセットに統合されたＧＳＭ  ＳＩＭカード１０８は、２００２年１月１７日に出願された米国特許仮出願６０／３５０，８２９号（特許文献２）、及び２００２年２月１日に出願された米国特許仮出願６０／３５４，０８６号（特許文献３）で論じられている。これら両文献は、２００２年２月１４日に出願された米国特許出願１０，０７６，８３１号（特許文献４）に切り換えられ、ここで参考文献として特別に同封されている。ＳＩＭカード１０６，１１０，１１４は、また、一つ以上の無線システムで動作するように構成された特別なＳＩＭカードでありうる。
【００１９】
移動局１０４は、無線アクセスネットワーク（ＲＡＮ）１１６と通信可能に接続されている。ある実施例では、ＲＡＮ１１６は、標準的なＧＳＭ又はＧＳＭ／ＧＰＲＳ  ＲＡＮであり、標準的なＧＳＭベースの基地トランシーバサブシステム（ＢＴＳ）と、標準的なＧＳＭ基地局コントローラ（ＢＳＣ）（図示せず）とを備えている。
【００２０】
移動局１０８，１１２は、無線アクセスネットワーク（ＲＡＮ）１２０と通信可能に接続されている。移動局１０８は、ＲＡＮ１１６及びＲＡＮ１２０の両方と通信可能に接続されている。ある実施例では、ＲＡＮ１２０は、２００１年１２月１４日に出願された米国特許仮出願６０／３４０，３５６号（特許文献５）に記載されたように、ＣＤＭＡ  １ｘ  ＲＡＮである。この仮出願は、２００１年２月１４日に出願された米国特許出願１０／０７７，５５６号（特許文献６）に切り換えられ、本発明と同一の譲受人に譲渡され、ここで参考文献として特別に同封される。ＲＡＮ１２０は、標準的なＣＤＭＡ２０００又はＣＤＭＡ２０００  １ｘ  ＲＡＮであって、標準的なＣＤＭＡベースの基地トランシーバサブシステム（ＢＴＳ）と、標準的なＣＤＭＡベースの基地局コントローラ（ＢＳＣ）（図示せず）とを備えている。
【００２１】
ＧＳＭ  ＲＡＮ１１６は、Ａインタフェース１２８を介してＧＳＭ  ＳＭＳＣ／ＳＧＳＮ１２４に接続されている。ＧＳＭ  ＳＭＳＣ／ＳＧＳＮ１２４は、ＭＡＰ、ＩＳＵＰ、及びＧＴＰインタフェースとプロトコルを用いて、ＧＳＭ切換ネットワーク１３６に接続されている。
【００２２】
ＣＤＭＡ  ＲＡＮ１２０は、標準的なＩＯ５４インタフェース／プロトコル１３６を介して、ＧＳＭ１ｘ移動切換ノード（ＭＳＮ）１３２に接続されている。ＭＳＮ１３２は好適には、ＲＡＮ１２０とＧＳＭ切換ネットワーク１３６との両方に接続されたハイブリッドＭＳＮである。ＧＳＭ切換ネットワーク１３６は、ＧＳＭサービスネットワーク１４０の残りに接続されている。ＭＳＮ１３２は、ある携帯通信システムにおけるフォーマット及び構成と推定されるメッセージを、第２の携帯通信システムにおけるフォーマット及び構成にマップすることによって、ＲＡＮ１２０とＧＳＭサービスネットワーク１４０との両方と通信することができる。例えば、もしもある通信システムがＧＳＭシステムであり、第２の通信システムがＣＤＭＡ２０００−１ｘシステムであれば、ハイブリッドＭＳＮ１３２は、ＧＳＭシステムで知られた構成及びフォーマットから、ＣＤＭＡ１ｘシステム等で知られたものにマップする。
【００２３】
ＧＳＭネットワークでは、移動局から送られたＳＭＳメッセージは、宛先ＳＭＳサービスセンタにアドレスされる。このサービスセンタは、ＧＳＭ  ＳＩＭカードから、以前に受信されたＳＭＳメッセージから、あるいはユーザからの入力として利用可能である。ＳＭＳＣアドレスは、このメッセージを適切なＳＭＳＣにルーティングするためにＧＳＭ  ＭＳＣによって使用される。
【００２４】
しかしながら、ＣＤＭＡネットワークからＧＳＭネットワークへ、空気インタフェースを使ってＳＭＳ及びＳＭＳＣメッセージを取り扱うメカニズムが現在存在しないという問題がある。ＧＳＭ  ＳＭＳＣメッセージングはなされない。なぜなら、ＣＤＭＡメカニズムは、ＧＳＭ  ＳＭＳＣメッセージを取り扱うために必要とされるデータを転送することができないからである。同様に、標準的なＣＤＭＡ  ＳＭＳメッセージフォーマット（ＩＳ−６３７）は、標準的なＧＳＭネットワークによって取り扱うことができない。なぜなら、ＧＳＭメカニズムは、標準的なＣＤＭＡ  ＳＭＳメッセージを取り扱うために必要とされるデータを転送することができないからである。
【００２５】
例えば、モバイルから発せされたＳＭＳメッセージが、移動局からインフラストラクチャネットワークへと送られた場合、このネットワークは、どのＳＭＳＣがＳＭＳメッセージを送るのかを知る必要がある。同様に、移動局がＳＭＳアクノレッジメッセージを送る場合、このネットワークは、このアクノレッジが転送されるべきＳＭＳＣアドレスを知る必要がある。この情報は、ＧＳＭ  ＳＩＭカードに存在するが、空気インタフェースを介して送られることはできない。なぜなら、ＣＤＭＡ２０００  １ｘ  ＳＭＳフォーマットは、ＳＭＳメッセージの中にＳＭＳＣアドレスを含ませるためのメカニズムを提供していないからである。従って、ＭＳＣ１１６は、ＳＭＳメッセージを、ＳＭＳＣアドレスを含むように変更する必要がある。
【００２６】
もしも新たなメッセージ又は新たなフォーマットが、デュアルモード移動局によってサポートされている空気インタフェースに追加されると、変更は、これら新たなメッセージをサポートするようになされねばならない。これは望ましいことではない。
【００２７】
この問題に対する解決策は、ＣＤＭＡ  ＳＭＳメッセージの適切な翻訳と、ＳＭＳＣアドレシングとを含めることである。これによって、ＧＳＭサービスネットワーク１４０は、標準的なＧＳＭフォーマット及び構成のＳＭＳＣメッセージを受信できるようになる。すなわち、オリジナルのＳＭＳメッセージがＣＤＭＡ空気インタフェースを通って到着し、ハイブリッドＭＳＮ１３２によって変更されたということは、ＧＳＭコアネットワーク１２０に明らかとなる。同様に、この問題に対する解決策は、更に、標準的なＧＳＭ  ＳＭＳＣメッセージを、ＣＤＭＡ空気インタフェースによって解釈されるＳＭＳメッセージに翻訳することである。そのようなものとして、ＳＭＳＣ情報が標準的なＣＤＭＡ  ＳＭＳメッセージングに変換されており、ＣＤＭＡベースの移動局へ向けられていることもまた、ＧＳＭコアネットワーク１２０に明らかとなる。
【００２８】
図２（ａ）は、ＣＤＭＡ  ＳＭＳメッセージをＧＳＭ  ＳＭＳＣメッセージに変換するためになされる処理２００を示している。ＣＤＭＡ  移動局からのＳＭＳメッセージは、ＭＳＮ１３２によって受信される２０４。その後、ＣＤＭＡ  ＳＭＳ情報は、ＧＳＭシステムによって認識されるフォーマットにマップされる２０８。しかしながら、ＧＳＭシステムは、付加的なＳＭＳＣアドレスフィールドを必要とするかもしれないので、これは不十分であるかもしれない。従って、付加的なＳＭＳＣアドレスが、ＭＳＮ１３２によって追加される２１２。そして、マップされたＧＳＭ  ＳＭＳ情報は、追加されたＳＭＳＣアドレス情報（必要なものとして）とともに送信される２１６。
【００２９】
ＳＭＳＣアドレスをＳＭＳアドレスフィールドに埋め込む場合、ＳＭＳＣアドレスが保存され、明らかに拡張される。従って、ＣＤＭＡ基地局は、明らかに、何の変更も要することなくＳＭＳメッセージをルーティングする。さらに、ＳＭＳＣアドレスの存在または不在によって、移動局１０４とＭＳＣ１１６とは、メッセージがどこから発せられたかを判定することが可能となる。
【００３０】
図２（ｂ）は、ＧＳＭ  ＳＭＳＣメッセージをＣＤＭＡ  ＳＭＳメッセージに変換するためになされる処理２５０を示している。まず、ＧＳＭ  ＳＭＳＣ情報が受信される２５４。次に、ＧＳＭ  ＳＭＳＣ情報がＣＤＭＡ  ＳＭＳ情報にマップされる２５８。しかしながら、ＣＤＭＡシステムがＳＭＳＣアドレスフィールドを必要としないので、これは余分である。従って、追加のＳＭＳＣアドレスが取り除かれる２６２。そして、マップされたＣＤＭＡ  ＳＭＳ情報が送信される２６６。
【００３１】
モバイルから発せられたＳＭＳメッセージは、このＳＭＳメッセージが向けられたエンティティのアドレスである宛先アドレスを含む。この宛先アドレスフィールドは、その後、ＳＭＳＣアドレスが追加される。図３は、ＳＭＳメッセージ要素３００を示している。ＳＭＳメッセージ要素は、パラメータ識別子フィールド３０４、パラメータ長フィールド３０８、発信元又は宛先アドレス部３１２、及びＳＭＳＣアドレス部３１６からなる。
【００３２】
ｉＤＥＮシステムは、ＧＳＭベースのＭＡＰインタフェースプロトコルを利用する。上述されたものと大部分同様な方法で、ＳＭＳメッセージは翻訳されるか、マップされる。
【００３３】
ある実施例では、パラメータ識別子３０４は、移動局から送られたメッセージであるかもしれない。パラメータ長さ３０８は、フォローする全てのフィールドのサイズ（バイト単位）である。ある実施例では、宛先アドレス３１２は、転送層上にあり、ＳＭＳＣアドレス部３１６は、中継層上にある。宛先アドレス３１２は、桁モード３２０、数字モード３２２、数字タイプ３２４、数字プラン３２６、数字フィールド３２８、キャラクタ３３０、及び予備フィールド３３２を含む多くのフィールドからなる。
【００３４】
ＳＭＳＣアドレス部３１６は暫定的なものであり、ＳＭＳＣアドレス長フィールド３３４、拡張フィールド３３６、アドレスフィールドの性質３３８、ナンバリングプランフィールド３４０、ＢＣＤフィールド３４２、ＢＣＤ  ２Ｎフィールド３４４、及び０ｘＦフィールド３４６からなっている。
【００３５】
桁モード３２０、数字モード３２２、数字タイプ３２４、数字プラン３２６に基づいて、各キャラクタ３３０のサイズが判定される。数字フィールド３２８は、キャラクタフィールド３３０の数を示す。従って、従来の宛先アドレスのサイズは、移動局によって決定される。もしも、このサイズがパラメータ長さ３０８よりも小さいのであれば、宛先アドレスパラメータに付属したＳＭＳアドレスが存在するものと移動局は判定する。その後、移動局は、宛先アドレスパラメータの残りの処理を進め、ＳＭＳＣアドレスを決定する。
【００３６】
ある実施例では、移動局においてＳＩＭにＳＭＳＣアドレスが存在しない場合、またはＳＭＳメッセージに挿入されることが可能なＳＭＳＣアドレスが存在しない場合には、この移動局はデフォルト値を挿入する。もしもＭＳＮがこのデフォルト値を備えたＳＭＳメッセージを受信すると、ＭＳＮはこのＳＭＳメッセージをデフォルトのＳＭＳＣ（もしあれば）に転送する。従って、ＳＭＳＣアドレス長さフィールドの存在はまた、移動局はＧＳＭ１ｘ移動局であることと、ユーザデータフィールドが適切に符号化されていることとをＭＳＮに対して示すべきである。しかしながら、もしもＳＭＳメッセージが、ＳＭＳＣアドレス無く受信されると、ＭＳＮは、このＳＭＳメッセージはＣＤＭＡ  ＳＭＳメッセージ（ＩＳ−６３７）であり、相応にそれを処理することを考える。
【００３７】
第１の通信システムからのショートメッセージサービス（ＳＭＳ）情報を、第２の異なる携帯システムにおける対応するメッセージに変換する装置もまた記載されている。この装置は、ＭＳＮの一部であるかもしれない。この装置は、前記第１の通信システムによって必要とされるフォーマットを持つＳＭＳ情報を受信するように構成された入力と、前記ＳＭＳ情報を前記第２の通信システムによって必要とされるフォーマットにマップするために前記入力に接続されたマッパと、前記マッパに接続され、前記第２の通信システムからの要求によって、必要であれば追加の情報を追加し、または必要であれば無関係な情報を除去するように構成された追加／除去要素とを備えている。
【００３８】
従って、通信システム間のＳＭＳメッセージングの相互操作性に対する斬新でかつ改良された方法及び装置が記載された。当業者であれば、これら情報および信号が、種々異なった技術や技法を用いて表されることを理解するであろう。例えば、上述した記載で引用されているデータ、指示、命令、情報、信号、ビット、シンボル、およびチップは、電圧、電流、電磁波、磁場または磁性粒子、光学場または光学微粒子、あるいはこれら何れかの結合によって表現されうる。
【００３９】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００４０】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００４１】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに不可欠となりうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００４２】
開示された実施例における上述の記載は、いかなる当業者であっても、本発明の活用または利用を可能とするようになされている。これらの実施例への様々な変形例もまた、当業者に対しては明らかであって、ここで定義された一般的な原理は、本発明の主旨または範囲を逸脱しない他の実施例にも適用されうる。このように、本発明は、上記で示された実施例に制限されるものではなく、ここで記載された原理と新規の特徴に一致した広い範囲に相当するものを意図している。
【図面の簡単な説明】
【００４３】
【図１】図１は、ハイブリッド携帯システムの概要を示す図である。
【図２】図２（ａ）は、ＣＤＭＡ  ＳＭＳメッセージのＧＳＭ  ＳＭＳ及びＳＭＳＣメッセージへの変換を示すフローチャートであり、図２（ｂ）は、ＧＳＭ  ＳＭＳ及びＳＭＳＣメッセージのＣＤＭＡ  ＳＭＳメッセージへの変換を示すフローチャートである。
【図３】図３は、異なる携帯通信システム間のＳＭＳ及びＳＭＳＣメッセージングを表すブロック図である。
【符号の説明】
【００４４】
１００…携帯電話システム、１０４…移動局、１０６…加入者識別モジュール、１０８…移動局、１１０…加入者識別モジュール、１１２…移動局、１１４…加入者識別モジュール、１１６…無線アクセスネットワーク、１２０…無線アクセスネットワーク、１２４…ＳＧＳＮ、１２８…Ａインタフェース、１３２…ハイブリッドＭＳＮ、１３６…ＧＳＭ切換ネットワーク、１４０…ＧＳＭサービスネットワーク
【図１】
0004405815.tif 000002
【図２】
0004405815.tif 000003
【図３】
0004405815.tif 000004